(57)【要約】【目的】  本発明は、タープテントを容易に設営できるようにする。【構成】  タープテントＴ１は、シート本体１１０と、スリーブ２００と、ポール３００と、第１係合部５００ａと、第２係合部５００ｂとを備えている。シート本体１１０は辺部１１１を有する。スリーブ２００は、シート本体１１０の辺部１１１に設けられている。ポール３００は、スリーブ２００に挿入されて円弧状に湾曲している。ポール３００は、その長手方向の第１端部３１０ａと、その反対側の第２端部３２０ａを有している。第１端部３１０ａ及び第２端部３１０ｂが、設置面に直接的に又は間接的に当接する。第１係合部５００ａは、ポール３００の第１端部３１０ａに係合し且つ設置面に固定され、第２係合部５００ｂは、ポール３００の第２端部３１０ｂに係合し且つ設置面に固定される。【選択図】      図１
2020016025.tif 000002
【特許請求の範囲】
【請求項１】
辺部を有するシート本体と、
前記シート本体の前記辺部に設けられたスリーブと、
前記スリーブに挿入されて円弧状に湾曲するポールと、
第１係合部と、
第２係合部とを備えており、
前記ポールは、その長手方向の第１端部と、その反対側の第２端部を有しており、前記第１端部及び前記第２端部が、設置面に直接的に又は間接的に当接し、
前記第１係合部は、前記ポールの前記第１端部に係合し且つ前記設置面に固定され、
前記第２係合部は、前記ポールの前記第２端部に係合し且つ前記設置面に固定されるタープテント。
【請求項２】
請求項１記載のタープテントにおいて、
前記スリーブは、その長手方向の第１端と、その反対側の第２端とを有しており、
前記ポールの長さ寸法は、前記辺部及び前記スリーブの長さ寸法よりも大きく、
前記ポールの前記第１端部は、前記スリーブの前記第１端から突出し、前記ポールの前記第２端部は、前記スリーブの前記第２端から突出するタープテント。
【請求項３】
請求項２記載のタープテントにおいて、
前記シート本体の前記辺部は、その長手方向の第１端と、その反対側の第２端とを有しており、
前記タープテントは、前記シート本体の前記辺部の前記第１端又は前記スリーブの前記第１端から延びた第１ラインを更に備えており、
前記第１係合部は、前記第１ラインの自由端に設けられているタープテント。
【請求項４】
請求項２記載のタープテントにおいて、
前記シート本体の前記辺部は、その長手方向の第１端と、その反対側の第２端とを有しており、
前記タープテントは、前記シート本体の前記辺部の前記第１端又は前記スリーブの前記第１端から延びた第１ラインを更に備えており、
前記第１ラインの自由端が前記設置面に固定されるタープテント。
【請求項５】
請求項３又は４記載のタープテントにおいて、
前記シート本体の前記辺部の前記第２端又は前記スリーブの前記第２端から延びた第２ラインを更に備えており、
前記第２係合部は、前記第２ラインの自由端に設けられているタープテント。
【請求項６】
請求項３又は４記載のタープテントにおいて、
前記シート本体の前記辺部は、その長手方向の第１端と、その反対側の第２端とを有しており、
前記タープテントは、前記シート本体の前記辺部の前記第２端又は前記スリーブの前記第２端から延びた第２ラインを更に備えており、
前記第２ラインの自由端が前記設置面に固定されるタープテント。
【請求項７】
請求項１記載のタープテントにおいて、
前記シート本体の前記辺部は、その長手方向の第１端と、その反対側の第２端とを有しており、
前記スリーブは、その長手方向の第１端と、その反対側の第２端とを有しており、
前記第１係合部は、前記シート本体の前記辺部の前記第１端又は前記スリーブの前記第１端に設けられているタープテント。
【請求項８】
請求項７記載のタープテントにおいて、
前記第２係合部は、前記シート本体の前記辺部の前記第２端又は前記スリーブの前記第２端に設けられているタープテント。
【請求項９】
請求項７記載のタープテントにおいて、
前記シート本体の前記辺部の前記第２端又は前記スリーブの前記第２端から延びた第２ラインを更に備えており、
前記第２係合部は、前記第２ラインの自由端に設けられているタープテント。
【請求項１０】
請求項１〜９の何れかに記載のタープテントにおいて、
第１端と、その反対側の第２端とを有する第３ラインを更に備えており、
前記第３ラインの前記第１端が直接的又は間接的に前記第１係合部に接続されており、  前記第３ラインの前記第２端が直接的又は間接的に前記第２係合部に接続されているタープテント。
【請求項１１】
請求項３又は４記載のタープテントにおいて、
前記第１ラインは、長さ調整可能な構成であるタープテント。
【請求項１２】
請求項５、６又は９記載のタープテントにおいて、
前記第２ラインは、長さ調整可能な構成であるタープテント。
【請求項１３】
請求項１０記載のタープテントにおいて、
前記第３ラインは、長さ調整可能な構成であるタープテント。
【請求項１４】
請求項１〜１３の何れかに記載のタープテントにおいて、
前記シート本体の前記辺部に連接された延長シートと、
前記延長シートから延びており且つ前記設置面に固定される複数の第４ラインとを更に備えているタープテント。
【請求項１５】
請求項１〜１４の何れかに記載のタープテントにおいて、
前記シート本体の前記辺部及び前記スリーブは、円弧状に湾曲しているタープテント。
【請求項１６】
辺部にスリーブが設けられたシート本体を用意し、
ポールを前記スリーブに挿入し、
前記スリーブに挿入された前記ポールを円弧状に湾曲させ、
前記ポールを湾曲させた状態で、前記ポールの第１端部を第１係合部に、前記ポールの第２端部を第２係合部に係合させ、
前記ポールの前記第１、第２端部を直接的又は間接的に設置面に当接させ、且つ
前記ポールの前記第１、第２端部が係合した前記第１、第２係合部を前記設置面に固定するタープテントの設営方法。
【請求項１７】
辺部にスリーブが設けられたシート本体を用意し、
ポールを前記スリーブに挿入し、前記ポールの第１端部を前記スリーブの封止端部に当接させ、
前記ポールの前記第１端部を前記封止端部に当接させた状態で、前記ポールの前記第１端部を支点に前記ポールを円弧状に湾曲させ、
前記ポールを湾曲させた状態で、前記ポールの第２端部を第２係合部に係合させ、
前記ポールの前記第１端部を前記封止端部を介して間接的に設置面に当接させると共に、前記ポールの前記第２端部を直接的又は間接的に前記設置面に当接させ、且つ
前記封止端部を前記設置面に固定すると共に、前記ポールの前記第２端部が係合された前記第２係合部を前記設置面に固定するタープテントの設営方法。
【請求項１８】
請求項１６記載のタープテントの設営方法において、
前記第１係合部が、前記シート本体の前記辺部の第１端又は前記スリーブの第１端から延びた第１ラインの自由端、又は前記シート本体の前記辺部の第１端に設けられており、
前記ポールを前記スリーブに挿入するときに、前記ポールの第１端部を前記スリーブの前記第１端から突出させるタープテントの設営方法。
【請求項１９】
請求項１６〜１８の何れかに記載のタープテントの設営方法において、
前記第２係合部が、前記シート本体の前記辺部の第２端又は前記スリーブの第２端から延びた第２ラインの自由端、又は前記シート本体の前記辺部の第２端に設けられており、
前記ポールを前記スリーブに挿入するときに、前記ポールの第２端部を前記スリーブの前記第２端から突出させるタープテントの設営方法。
【請求項２０】
請求項１６〜１９の何れかに記載のタープテントの設営方法において、
前記第１係合部と前記第２係合部が第３ラインによってつながれているタープテントの設営方法。
【発明の詳細な説明】
【技術分野】
【０００１】
本発明は、タープテント及びタープテントの設営方法に関する。
【背景技術】
【０００２】
下記特許文献には従来のタープテントが設けられている。このタープテントは、略矩形状のシートと、第１ポールと、第２ポールと、複数のロープとを有している。シートは、第１辺と、第２辺とを有し、第１辺及び第２辺が、第１端と、第２端と、この第１端と第２端との間の中央部とを各々有している。第１ポールは、シートの第１辺の中央部を支持しており、第２ポールは、シートの第２辺の中央部を支持している。シートの第１辺の中央部からロープが各々シートの長手方向の一方側に延び、シートの第２辺の中央部からロープが各々長手方向の他方側に延び、各ロープの先端が地面に固定されている。シートの第１辺及び第２辺の第１端からロープが各々シートの短手方向の一方側に延び、シートの第１辺及び第２辺の第２端からロープが各々短手方向の他方側に延びている。各ロープの先端が地面に固定されている。このように第１、第２ポール及び複数のロープによって、シートが広げられた状態で中空支持されている。
【先行技術文献】
【特許文献】
【０００３】
【特許文献１】特開平１１−０９３４６２号公報
【発明の概要】
【発明が解決しようとする課題】
【０００４】
従来のタープテントの場合、シートの第１辺を支持した第１ポールを使用者が支持しつつ、シートの第１辺から延びる各ロープを引っ張り、各ロープの先端を地面に固定しなければ、シートの第１辺を中空で支持することができない。シートの第２辺も同様である。そのため、従来のタープテントは、シートの辺部毎の設営し難い。
【０００５】
本発明は、容易に設営できるタープテント及びタープテントの設営方法を提供することにある。
【課題を解決するための手段】
【０００６】
上記課題を解決するために、本発明の一態様のタープテントは、辺部を有するシート本体と、シート本体の辺部に設けられたスリーブと、スリーブに挿入されて円弧状に湾曲するポールとを備えている。ポールは、その長手方向の第１端部と、その反対側の第２端部を有しており、第１端部及び第２端部が、設置面に直接的に又は間接的に当接する。第１係合部は、ポールの第１端部に係合し且つ設置面に固定され、第２係合部は、ポールの第２端部に係合し且つ設置面に固定される。
【０００７】
このような態様のタープテントによる場合、ポールをスリーブに挿入して円弧状に湾曲させ、ポールの第１端部、第２端部を第１係合部、第２係合部に係合させて設置面に直接的又は間接的に当接させ、第１係合部、第２係合部を設置面に固定するだけで、ポールによってシート本体の辺部が中空で支持される。このようにシート本体の辺部を容易に建てることができるので、タープテントの設営が容易になる。
【０００８】
スリーブは、その長手方向の第１端と、その反対側の第２端とを有する構成とすることが可能である。シート本体の辺部は、その長手方向の第１端と、その反対側の第２端とを有する構成とすることが可能である。
【０００９】
ポールの長さ寸法は、辺部及びスリーブの長さ寸法よりも大きくすることが可能である。ポールの第１端部は、スリーブの第１端から突出し、ポールの第２端部は、スリーブの第２端から突出する構成とすることが可能である。このような態様のタープテントによる場合、ポールの長さ寸法は、辺部及びスリーブの長さ寸法よりも大きいため、ポールをスリーブ内に挿入し易くなる。
【００１０】
上記何れかの態様のタープテントは、シート本体の辺部の第１端又はスリーブの第１端から延びた第１ラインを更に備えた構成とすることが可能である。第１係合部は、第１ラインの自由端に設けられた構成とすることが可能である。このような態様のタープテントによる場合、ポールの第１端部が、第１係合部に係合されることによって、スリーブの第１端側の部分がポールに沿って捲り上がるのを防ぐことができる。
【００１１】
第１ラインの自由端は、第１係合部が設けられるのではなく、設置面に固定される構成とすることが可能である。このような態様のタープテントによる場合、第１ラインが設置面に固定されることによって、スリーブの第１端側の部分がポールに沿って捲り上がるのを防ぐことができる。
【００１２】
上記何れかの態様のタープテントは、シート本体の辺部の第２端又はスリーブの第２端から延びた第２ラインを更に備えた構成とすることが可能である。第２係合部は、第２ラインの自由端に設けられた構成とすることが可能である。このような態様のタープテントによる場合、ポールの第２端部が、第２係合部に係合されることによって、スリーブの第２端側の部分がポールに沿って捲り上がるのを抑制できる。
【００１３】
第２ラインの自由端は、第２係合部が設けられるのではなく、設置面に固定される構成とすることが可能である。このような態様のタープテントによる場合、第２ラインが設置面に固定されることによって、スリーブの第２端側の部分がポールに沿って捲り上がるのを抑制できる。
【００１４】
第１係合部は、シート本体の辺部の第１端又はスリーブの第１端に設けられた構成とすることが可能である。この場合、第２係合部は、シート本体の辺部の第２端又はスリーブの第２端に設けられた構成とすることが可能である。又は、上記の通り、第２ラインがシート本体の辺部の第２端又はスリーブの第２端から延び、第２係合部が第２ラインの自由端に設けられており且つポールの第２端部に係合する構成とすることが可能である。
【００１５】
上記何れかの態様のタープテントは、第３ラインを更に備えた構成とすることが可能である。第３ラインは、第１端と、その反対側の第２端を有し、第１端が直接的又は間接的に第１係合部に接続され、第２端が直接的又は間接的に第２係合部に接続される構成とすることが可能である。このような態様のタープテントによる場合、第３ラインによって、第１係合部と、第２係合部とがつながれているため、ポールの第１端部、第２端部が第１係合部、第２係合部に係合された状態で、ポールの第１端部、第２端部が離間するのを抑制することができる。
【００１６】
第１ラインは、長さ調整可能な構成とすることが可能である。このような態様のタープテントによる場合、第１ラインの長さが調整されることによって、シート本体の辺部の第１端又はスリーブの第１端と、第１係合部又は設置面との間に第１ラインを緊張状態で張ることができるので、スリーブの捲り上がりを防止できる。
【００１７】
第２ラインは、長さ調整可能な構成とすることが可能である。このような態様のタープテントによる場合、第２ラインの長さが調整されることによって、シート本体の第２辺部の第２端又はスリーブの第２端と、第２係合部又は設置面との間に第２ラインを緊張状態で張ることができるので、スリーブの捲り上がりを防止できる。
【００１８】
第３ラインは、長さ調整可能な構成とすることが可能である。このような態様のタープテントによる場合、第３ラインの長さが調整されることによって、ポールの第１端部と第２端部との間隔を調整することができる。
【００１９】
上記何れかの態様のタープテントは、シート本体の辺部に連接された延長シートと、延長シートから延びており且つ設置面に固定される複数の第４ラインとを更に備えた構成とすることが可能である。このような態様のタープテントによる場合、複数の第４ラインが設置面に固定され、延長シートを引っ張ることによって、延長シートが全体としてシート本体の辺部を引っ張ることができる。よって、ポールでシート本体の辺部が支持された状態が安定する。
【００２０】
シート本体の辺部及びスリーブが円弧状に湾曲していても良い。このような態様のタープテントによる場合、円弧状のスリーブにポールを挿入することによって、ポールを容易に円弧状に湾曲させることができる。
【００２１】
本発明の一態様のタープテントの設営方法は、辺部にスリーブが設けられたシート本体を用意し、ポールをスリーブに挿入し、スリーブに挿入されたポールを円弧状に湾曲させ、ポールを湾曲させた状態で、ポールの第１端部を第１係合部に、ポールの第２端部を第２係合部に係合させ、ポールの第１、第２端部を直接的又は間接的に設置面に当接させ、且つポールの第１、第２端部が係合した第１、第２係合部を設置面に固定するようになっている。
【００２２】
このような態様のタープテントの設営方法による場合、ポールをスリーブに挿入して円弧状に湾曲させ、ポールの第１端部、第２端部を、第１係合部、第２係合部に係合させて設置面に直接的又は間接的に当接させ、第１係合部、第２係合部を設置面に固定するだけで、ポールによってシート本体の辺部が中空で支持される。このようにシート本体の辺部を容易に建てることができるので、タープテントの設営が容易に行える。
【００２３】
本発明の別の態様のタープテントの設営方法は、辺部にスリーブが設けられたシート本体を用意し、ポールをスリーブに挿入し、ポールの第１端部をスリーブの封止端部に当接させ、ポールの第１端部を封止端部に当接させた状態で、ポールの第１端部を支点にポールを円弧状に湾曲させ、ポールを湾曲させた状態で、ポールの第２端部を第２係合部に係合させ、ポールの第１端部を封止端部を介して間接的に設置面に当接させると共に、ポールの第２端部を直接的又は間接的に設置面に当接させ、且つ封止端部を設置面に固定すると共に、ポールの第２端部が係合された第２係合部を設置面に固定する。
【００２４】
このような態様のタープテントの設営方法による場合、ポールをスリーブに挿入し、ポールの第１端部をスリーブの封止端部に当接させ、このポールの第１端部を支点にポールを円弧状に湾曲させ、湾曲させたポールの第２端部を、第２係合部に係合させ、封止端部及びポールの第２端部を設置面に当接させ、封止端部及び第２係合部を設置面に固定するだけで、ポールにシート本体の辺部を中空で支持させることができる。このようにシート本体の辺部を容易に建てることができるので、タープテントの設営が容易に行える。しかも、スリーブの封止端部に当接させたポールの第１端部を支点に、ポールを湾曲させることができるので、ポールの湾曲作業も容易に行える。
【図面の簡単な説明】
【００２５】
【図１】本発明の実施例１に係るタープテントの正面、平面及び右側面から表した斜視図である。
【図２】前記タープテントの正面、平面及び左側面から表した斜視図である。
【図３】前記タープテントのシートの平面図である。
【図４】前記タープテントのシートの底面図である。
【図５Ａ】前記実施例１の第１設計変形例に係るタープテントの正面、平面及び右側面から表した斜視図である。
【図５Ｂ】前記実施例１の第２設計変形例に係るタープテントの正面、平面及び右側面から表した斜視図である。
【図５Ｃ】前記実施例１の第３設計変形例に係るタープテントの正面、平面及び右側面から表した斜視図である。
【図５Ｄ】前記実施例１の第４設計変形例に係るタープテントの正面、平面及び右側面から表した斜視図である。
【図６Ａ】前記実施例２に係るタープテントの正面、平面及び右側面から表した斜視図である。
【図６Ｂ】前記実施例２の第１設計変形例に係るタープテントの正面、平面及び右側面から表した斜視図である。
【図６Ｃ】前記実施例２の第２設計変形例に係るタープテントの正面、平面及び右側面から表した斜視図である。
【図７Ａ】前記実施例３に係るタープテントの正面、平面及び右側面から表した斜視図である。
【図７Ｂ】前記実施例３の第１設計変形例に係るタープテントの正面、平面及び右側面から表した斜視図である。
【図７Ｃ】前記実施例３の第２設計変形例に係るタープテントの正面、平面及び右側面から表した斜視図である。
【発明を実施するための形態】
【００２６】
以下、本発明の実施例について説明する。
【実施例１】
【００２７】
以下、本発明の実施例１を含む複数の実施例に係るタープテントＴ１について図１〜図５Ｄを参照しつつ説明する。図１〜図４には、実施例１に係るタープテントＴ１が示されている。図５Ａ〜図５Ｄには、実施例１の設計変形例に係るタープテントＴ１が各々示されている。
【００２８】
タープテントＴ１は、シート１００を備えている。シート１００は、図１〜図５Ｄに示すように、シート本体１１０を有している。シート本体１１０は、柔軟性を有するシートであって、例えば、ポリエステルタフタ、ポリエステルオックスフォード、テトロンコットン又はコットンなどで構成されている。シート本体１１０は、耐水性、撥水性、遮光性及び／又は難燃性を有していると良いが、これに限定されるものではない。
耐水性としては、耐水圧２０００〜１００００ｍｍを有していると良いが、それ以上でも良い。遮光性としては、遮光率９０％以上及び／又は紫外線カット率が約９０％以上を有していると良い。撥水性としては、１０回の洗濯で初期性能の約８０％以上を維持できるものであると良い。難燃性としては、米国の難燃性基準「ＣＰＡＩ−８４」に適合していると良い。この耐水性、撥水性、遮光性及び／又は難燃性の基準は一例に過ぎず、何ら限定されるものではない。
シート本体１１０は、辺部１１１及びシート本体１１０の辺部１１１の反対側の部分（以下、反対部と称する。）を有している。辺部１１１は、円弧状に湾曲していても良い（図１〜図５Ｄ参照）が、これに限定されるものではない。例えば、辺部１１１は、直線状などであっても良い。辺部１１１は、その長手方向の第１端１１１ａと、第１端１１１ａの反対側の第２端１１１ｂを有している。以下、説明の便宜上、シート本体１１０の辺部１１１側をタープテントＴ１の前方又は単に前方と称し、シート本体１１０の反対部側をタープテントＴ１の後方又は単に後方と称する。
【００２９】
タープテントＴ１は、スリーブ２００及びポール３００を更に備えている。スリーブ２００は、柔軟性を有する筒体であって、シート本体１１０の辺部１１１上に設けられており且つ辺部１１１に沿って延びている。スリーブ２００の少なくとも一部は、シート本体１１０と同様のシートで構成可能である。また、スリーブ２００の少なくとも一部は、メッシュ地で構成することも可能である。図１〜図５Ｄでは、スリーブ２００の第１端２１０ａ及び第２端２１０ｂが、シート本体１１０と同様のシートで構成され、スリーブ２００の第１端２１０ａ及び第２端２１０ｂの間の部分がメッシュ地で構成されている。スリーブ２００は、その長手方向の第１端２１０ａと、第１端２１０ａの反対側の第２端２１０ｂを有している。
【００３０】
スリーブ２００は、シート本体１１０の辺部１１１の形状に応じて円弧状に延びていても良いし、（図１〜図５Ｄ参照）、直線状に延びていても良い。スリーブ２００の長さ寸法は、辺部１１１の長さ寸法よりも小さくても良いし、辺部１１１の長さ寸法と略同じでも良い。また、スリーブ２００の長さ寸法は、ポール３００の長さ寸法の１／２〜３／４とすることが可能であるが、これに限定されるものではない。
【００３１】
ポール３００は、その長手方向に並ぶ複数のポール部を有している。この複数のポール部の隣り合う二つのポール部同士が着脱可能に接続されることによって、ポール３００が直線状の一本のポールをなしている。ポール３００は、その長手方向の第１端部３１０ａと、第１端部３１０ａの反対側の第２端部３１０ｂとを有している。ポール３００は、スリーブ２００内に挿入され、円弧状に湾曲させられている。
【００３２】
ポール３００の長さ寸法は、図１〜図２及び図５Ａ〜図５Ｄに示されるように、シート本体１１０の辺部１１１及びスリーブ２００の長さ寸法よりも大きい。ポール３００の第１端部３１０ａは、スリーブ２００の第１端２１０ａから下方に突出して地面等の設置面に直接的又は間接的に当接すると共に、ポール３００の第２端部３１０ｂは、スリーブ２００の第２端２１０ｂから下方に突出して設置面に直接的又は間接的に当接するようになっている。従って、スリーブ２００の第１端２１０ａは、ポール３００の第１端部３１０ａに対して上方に位置し、スリーブ２００の第２端２１０ｂは、ポール３００の第２端部３１０ｂに対して上方に位置している。
【００３３】
タープテントＴ１は、以下の（１）〜（３）の何れか一つの構成と、以下の（４）〜（６）の何れか一つの構成とを更に備えていても良い。
【００３４】
（１）タープテントＴ１は、第１ライン４００ａと、第１係合部５００ａとを更に備えている。第１ライン４００ａは、シート本体１１０の辺部１１１の第１端１１１ａ又はスリーブ２００の第１端２１０ａから延びたロープ、紐又はベルトなどであって、自由端（下端）を有している（図１〜図５Ｂ参照）。第１係合部５００ａは、第１ライン４００ａの自由端に設けられており且つポール３００の第１端部３１０ａが係合されるようになっている。例えば、第１係合部５００ａは、ポール３００の第１端部３１０ａに差し込まれるピンとすることが可能である。この場合、ポール３００の第１端部３１０ａは、ピンと共に、設置面に直接当接又はピンを介して間接的に設置面に当接する。又は、第１係合部５００ａは、ポール３００の第１端部３１０ａが挿入されるリング又は布やプラスチック製の片部材の孔とすることが可能である。この場合、ポール３００の第１端部３１０ａは、リング又は片部材の孔に挿入され、設置面に直接当接している。又は、第１係合部５００ａは、ポール３００の第１端部３１０ａが挿入される筒部とすることが可能である。この場合、ポール３００の第１端部３１０ａは、筒部を介して間接的に設置面に当接する。又は、第１係合部５００ａは、ポール３００の第１端部３１０ａに巻き付けられる布体とすることが可能である。この場合、ポール３００の第１端部３１０ａは、布体を介して間接的に設置面に当接する。第１係合部５００ａは、直接的又は間接的に設置面に固定されるようになっている。前者の場合、第１係合部５００ａをペグなどによって設置面に直接固定すると良い。後者の場合、第１係合部５００ａに設けられた取付部材をペグなどで設置面に固定すると良い。なお、取付部材としては、例えば、ロープや紐とすると良い。なお、取付部材としては、例えば、ロープや紐とすると良い。
【００３５】
（２）タープテントＴ１は、第１係合部５００ａを備えているものの、第１ライン４００ａが省略されている（図５Ｃ〜図５Ｄ参照）。この場合、第１係合部５００ａは、（１）の何れかの態様と同じ構成である。
【００３６】
（３）タープテントＴ１は、第１ライン４００ａと、第１係合部５００ａとを備えている。第１ライン４００ａの自由端には、第１係合部５００ａが設けられておらず、設置面に固定されている。第１係合部５００ａは、第１ライン４００ａから別体である以外、（１）の何れかの態様と同じ構成である。
【００３７】
（４）タープテントＴ１は、第２ライン４００ｂと、第２係合部５００ｂとを更に備えている。第２ライン４００ｂは、シート本体１１０の辺部１１１の第２端１１１ｂ又はスリーブ２００の第２端２１０ｂから延びたロープ、紐又はベルトなどであって、自由端（下端）を有している（図１〜図４及び図５Ａ参照）。第２係合部５００ｂは、第２ライン４００ｂの自由端に設けられており且つポール３００の第２端部３１０ｂが係合されるようになっている。例えば、第２係合部５００ｂは、ポール３００の第２端部３１０ｂが挿入されるリング（図１〜図４及び図５Ａ参照）又は布やプラスチック製の片部材の孔とすることが可能である。この場合、ポール３００の第２端部３１０ｂは、リング又は片部材の孔に挿入され、設置面に直接当接している。又は、第２係合部５００ｂは、ポール３００の第２端部３１０ｂに差し込まれるピンとすることが可能である。この場合、ポール３００の第２端部３１０ｂは、ピンと共に、設置面に直接当接又はピンを介して間接的に設置面に当接する。又は、第２係合部５００ｂは、ポール３００の第２端部３１０ｂが挿入される筒部とすることが可能である。この場合、ポール３００の第２端部３１０ｂは、筒部を介して間接的に設置面に当接する。又は、第２係合部５００ｂは、ポール３００の第２端部３１０ｂに巻き付けられる布体とすることが可能である。この場合、ポール３００の第２端部３１０ｂは、布体を介して間接的に設置面に当接する。第２係合部５００ｂは、直接的又は間接的に設置面に固定されるようになっている。前者の場合、第２係合部５００ｂをペグなどによって設置面に直接固定すると良い。後者の場合、第２係合部５００ｂに設けられた取付部材をペグなどで設置面に固定すると良い。なお、取付部材としては、例えば、ロープや紐とすると良い。
【００３８】
（５）タープテントＴ１は、第２係合部５００ｂを備えているものの、第２ライン４００ｂが省略されている（図５Ｂ〜図５Ｄ参照）。この場合、第２係合部５００ｂは、（４）の何れかの態様と同じ構成である。
【００３９】
（６）タープテントＴ１は、第２ライン４００ｂと、第２係合部５００ｂとを備えている。第２ライン４００ｂの自由端には、第２係合部５００ｂが設けられておらず、設置面に固定されている。第２係合部５００ｂは、第２ライン４００ｂから別体である以外、（１）の何れかの態様と同じ構成である。
【００４０】
タープテントＴ１は、第３ライン６００を更に備えていても良い（図１〜図４及び図５Ｂ〜図５Ｃ参照）。第３ライン６００は、ロープ、紐又はベルトなどであって、その長手方向の第１端と、その反対側の第２端とを有する。
タープテントＴ１は、上記（１）の構成を備えている場合、第３ライン６００の第１端は、第１係合部５００ａに直接接続されていても良いし、第１ライン４００ａの自由端に接続され、第１ライン４００ａの自由端を介して第１係合部５００ａに間接的に接続されていても良い。
タープテントＴ１は、上記（２）又は上記（３）の構成を備えている場合、第３ライン６００の第１端は、第１係合部５００ａに直接接続されていると良い。
タープテントＴ１は、上記（４）の構成を備えている場合、第３ライン６００の第２端は、第２係合部５００ｂに直接的に接続されていても良いし、第２ライン４００ｂの自由端に接続され、第２ライン４００ｂの自由端を介して第２係合部５００ｂに間接的に接続されていても良い。
タープテントＴ１は、上記（５）又は上記（６）の構成を備えている場合、第３ライン６００の第２端は、第２係合部５００ｂに直接接続されていると良い。
なお、何れの態様であっても、第３ライン６００の第１端は、第１ライン４００ａ以外の他の部材を介して第１係合部５００ａに間接的に接続されていても良く。第３ライン６００の第２端は、第２ライン４００ｂ以外の他の部材を介して第２係合部５００ｂに間接的に接続されていても良い。
上記の通り、第３ライン６００によって、第１係合部５００ａと第２係合部５００ｂが直接的又は間接的につながれているため、第１係合部５００ａに係合されたポール３００の第１端部３１０ａと第２係合部５００ｂに係合されたポール３００の第２端部３１０ｂとの離間が抑制される。なお、第３ライン６００は省略可能である（図５Ａ及び図５Ｄ参照）。
【００４１】
第１ライン４００ａ、第２ライン４００ｂ及び第３ライン６００の少なくとも一つのラインは、長さ調整可能な構成とすることが可能である。例えば、少なくとも一つのラインは、その一端が自在金具又は平ベルト金具に接続されると共に、当該ラインの少なくとも一部がループ状となるように自在金具又は平ベルト金具に通されており、当該自在金具又は平ベルト金具の少なくとも一つのラインに対する位置を移動させることによって、少なくとも一つのラインの長さ調整が可能になっていると良い。
【００４２】
シート１００は、図１〜図５Ｄに示されるように、延長シート１２０を更に有する構成とすることが可能である。この場合、タープテントＴ１は、複数の第４ライン７００を更に備えた構成とすることが可能である。延長シート１２０は、シート本体１１０と同様のシートで構成されている。延長シート１２０は、連接辺１２１を有している。延長シート１２０の連接辺１２１は、シート本体１１０の辺部１１１に沿った形状を有している。シート本体１１０の辺部１１１が円弧状である場合、延長シート１２０の連接辺１２１は、シート本体１１０の辺部１１１に沿って円弧状に湾曲している。シート本体１１０の辺部１１１が直線状である場合、延長シート１２０の連接辺１２１は、シート本体１１０の辺部１１１に沿って直線状に延びている。延長シート１２０の連接辺１２１は、辺部１１１に縫い合わせ、接着テープによる接着又は溶着などによって連接されている。延長シート１２０は、連接辺１２１の反対側の自由辺１２２を更に有している。延長シート１２０の自由辺１２２の形状は、連接辺１２１と同様の形状とすることが可能であるが、異なる形状とすることも可能である。
【００４３】
複数の第４ライン７００は、ロープ、紐又はベルトなどであって、延長シート１２０の自由辺１２２から各々延びている。図１〜図５Ｄでは、複数の第４ライン７００は、二つであり、自由辺１２２の両端から延びているが、これに限定されるものではない。複数の第４ライン７００は、自由端を有している。複数の第４ライン７００の自由端が、設置面のタープテントＴ１に対して前方の部分に固定されるようになっている。この複数の第４ライン７００に、延長シート１２０がタープテントＴ１の前方に引っ張られることによって、延長シート１２０全体でシート本体１１０の辺部１１１を前方に引っ張ることができる。なお、複数の第４ライン７００は、上記少なくとも一つのラインと同様に、長さ調整可能な構成とすることが可能である。なお、延長シート１２０及び複数の第４ライン７００は省略可能である。
【００４４】
シート１００は、図１〜図５Ｄに示されるように、少なくとも一つの引張シート１３０を更に有する構成とすることが可能である。この場合、タープテントＴ１は、少なくとも一つの第５ライン８００を更に備えた構成とすることが可能である。少なくとも一つの引張シート１３０は、辺部１１１の一部に縫い合わせ、接着テープによる接着又は溶着などによって連接されている。少なくとも一つの引張シート１３０は、自由端を有している。少なくとも一つの第５ライン８００は、ロープ、紐又はベルトなどであって、少なくとも一つの引張シート１３０の自由端から延びている。少なくとも一つ第５ライン８００は、自由端を有している。少なくとも一つ第５ライン８００の自由端が、設置面のタープテントＴ１に対して前方の部分に固定されるようになっている。なお、引張シート１３０及び第５ライン８００は複数とすることが可能である。この場合、複数の引張シート１３０は、辺部１１１に間隔をあけて配置されて、各引張シート１３０の自由端から各々第５ライン８００が延びている。なお、少なくとも一つの第５ライン８００は、上記少なくとも一つのラインと同様に、長さ調整可能な構成とすることが可能である。なお、引張シート１３０及び第５ライン８００は省略可能である。  
【００４５】
シート本体１１０の反対部は、略半多角形状（例えば、略半矩形状）、タープテントＴ１の後方に凸の略Ｖ字状、タープテントＴ１の前方に凸の略Ｖ字状、又は後方に凸の略半円状などとすることが可能である。シート本体１１０の反対部は、複数の係合部１１２を有している。係合部１１２は、シート本体１１０の反対部に設けられた係合孔又はピンを有している。シート本体１１０の反対部は、複数のループ１１３を更に有していても良い。複数のループ１１３は、係合部１１２の係合孔に通されていても良いし、シート本体１１０の反対部の係合部１１２以外の部分に設けられていても良い。
【００４６】
タープテントＴ１は、複数の支持部を更に有する構成とすることが可能である。複数の支持部は、少なくとも一つの垂直ポール９００ａ及び少なくとも一つの第６ライン９００ｂの少なくとも一方を含んでいる。すなわち、複数の支持部は、少なくとも一つの垂直ポール９００ａ及び少なくとも一つの第６ライン９００ｂを含む構成としても良いし、複数の垂直ポール９００ａを含み、第６ライン９００ｂを含まない構成としても良いし、複数の第６ライン９００ｂを含み、垂直ポール９００ａを含まない構成としても良い。
【００４７】
少なくとも一つの垂直ポール９００ａは、上端及び下端を有する。少なくとも一つの垂直ポール９００ａの上端は、シート本体１１０の反対部の係合部１１２の係合孔に差し込まれている。又は、少なくとも一つの垂直ポール９００ａの上端に設けられた孔に、シート本体１１０の反対部の係合部１１２のピンが差し込まれている。少なくとも一つの垂直ポール９００ａの下端は、設置面に当接する。このように垂直ポール９００ａが、シート本体１１０の反対部と設置面との間に介在し、シート本体１１０の反対部を中空で支持する。
【００４８】
少なくとも一つの第６ライン９００ｂは、ロープ、紐又はベルトなどであって、シート本体１１０の反対部の係合部１１２の係合孔又はループ１１３から延びている。少なくとも一つの第６ライン９００ｂは、自由端を有する。少なくとも一つの第６ライン９００ｂの自由端は、設置面のタープテントＴ１より後方の部分又はタープテントＴ１より後方に位置する取付対象物（例えば、他のテントや自動車など）に固定されるようになっている。少なくとも一つの第６ライン９００ｂに、シート本体１１０の反対部がタープテントＴ１の後方に引っ張られることによって、シート本体１１０の反対部が中空で支持される。なお、少なくとも一つの第６ライン９００ｂは、上記少なくとも一つのラインと同様に、長さ調整可能な構成とすることが可能である。
【００４９】
以下、タープテントＴ１を設営する手順について詳しく説明する。まず、シート１００及びスリーブ２００を用意する。そして、ポール３００を用意する。このポール３００の第１端部３１０ａをスリーブ２００の第２端２１０ｂから挿入し、ポール３００の第１端部３１０ａがスリーブ２００の第１端２１０ａから突出し、ポール３００の第２端部３１０ｂがスリーブ２００の第２端２１０ｂから突出するように、ポール３００をスリーブ２００内に配置する。スリーブ２００が円弧状である場合、ポール３００はスリーブ２００に挿入されることによって、円弧状に湾曲する。この状態で、ポール３００を更に円弧状に湾曲させても良い。スリーブ２００が直線状である場合、挿入後、ポール３００を円弧状に湾曲させる。そして、ポール３００の第１端部３１０ａを第１係合部５００ａに係合させ、ポール３００の第２端部３１０ｂを第２係合部５００ｂに係合させる。
【００５０】
タープテントＴ１が第３ライン６００を備えている場合、第３ライン６００が第１係合部５００ａと第２係合部５００ｂとの間を直接的又は間接的に連結しているため、第１係合部５００ａに係合されたポール３００の第１端部３１０ａと、第２係合部５００ｂに係合されたポール３００の第２端部３１０ｂとが互いに離間しない。この状態で、ポール３００の第１端部３１０ａ及び第２端部３１０ｂを設置面に直接的又は間接的に当接させる。そして、第１係合部５００ａ及び第２係合部５００ｂを設置面に設置し、第１係合部５００ａ及び第２係合部５００ｂを設置面にペグなどで固定する。タープテントＴ１が第３ライン６００を備えていない場合、ポール３００の第１端部３１０ａ及び第２端部３１０ｂを設置面に直接的又は間接的に当接させる。そして、第１係合部５００ａ及び第２係合部５００ｂを設置面に設置し、第１係合部５００ａ及び第２係合部５００ｂを設置面にペグなどで固定する。
【００５１】
タープテントＴ１がシート１００の延長シート１２０及び複数の第４ライン７００を備えている場合、延長シート１２０から延びる複数の第４ライン７００をタープテントＴ１に対して前方へ引っ張り、複数の第４ライン７００の自由端を設置面にペグなどで各々固定する。タープテントＴ１がシート１００の少なくとも一つの引張シート１３０及び少なくとも一つの第５ライン８００を備えている場合、少なくとも一つの引張シート１３０から延びる少なくとも一つの第５ライン８００をタープテントＴ１に対して前方へ引っ張り、少なくとも一つの引張シート１３０の自由端を設置面にペグなどで固定する。
【００５２】
タープテントＴ１が少なくとも一つの垂直ポール９００ａを備えている場合、少なくとも一つの垂直ポール９００ａの上端をシート本体１１０の反対部の係合部１１２に係合させ、少なくとも一つの垂直ポール９００ａの下端を設置面に当接させる。これにより、少なくとも一つの垂直ポール９００ａがシート本体１１０の反対部と設置面との間に介在し、シート本体１１０の反対部を中空で支持する。タープテントＴ１が少なくとも一つの第６ライン９００ｂを備えている場合、シート本体１１０の反対部の係合部１１２の係合孔又はループ１１３から延びる少なくとも一つの第６ライン９００ｂをタープテントＴ１に対して後方に引っ張り、少なくとも一つの第６ライン９００ｂの自由端を設置面又は取付対象物に固定する。以上のようにしてタープテントＴ１が設営される。
【００５３】
以上のようなタープテントＴ１は、以下の技術的特徴及び効果を奏する。
（Ａ）タープテントＴ１は、設営し易い。その理由は以下の通りである。ポール３００をスリーブ２００内に挿入して円弧状に湾曲させ、ポール３００の第１端部３１０ａ、第２端部３１０ｂを第１係合部５００ａ、第２係合部５００ｂに係合させて設置面に直接的又は間接的に当接させる。そして、第１係合部５００ａ、第２係合部５００ｂを設置面に固定する。このようにポール３００によってシート本体１１０の辺部１１１が中空で支持されるので、タープテントＴ１のシート本体１１０の辺部１１１を容易に建てることができる。また、スリーブ２００が円弧状である場合、ポール３００がスリーブ２００に沿って円弧状に湾曲するため、ポール３００を容易に湾曲させることができる。更に、タープテントＴ１が第３ライン６００を備えている場合、第３ライン６００が第１係合部５００ａと第２係合部５００ｂとの間を直接的又は間接的につないでいるため、ポール３００の復元力によって、ポール３００の第１端部３１０ａとポール３００の第２端部３１０ｂとが離間することが防止される。よって、タープテントＴ１を設営する際に、当該離間を防止するために、ポール３００の第１端部３１０ａとポール３００の第２端部３１０ｂとを複数の使用者が支持する必要がなくなる。第３ライン６００が長さ調整可能である場合、第３ライン６００の長さを調整することによって、ポール３００の第１端部３１０ａと第２端部３１０ｂとの間隔を調整できる。
【００５４】
（Ｂ）タープテントＴ１が第１ライン４００ａを備えている場合、第１ライン４００ａの自由端が、第１係合部５００ａに接続される、又は設置面に固定されることによって、スリーブ２００の第１端２１０ａが湾曲したポール３００に沿って捲り上がるのを抑制できる。また、タープテントＴ１が第２ライン４００ｂを備えている場合、第２ライン４００ｂの自由端が、第２係合部５００ｂに接続される、又は設置面に固定されることによって、スリーブ２００の第２端２１０ｂが湾曲したポール３００に沿って捲り上がるのを抑制できる。第１ライン４００ａが長さ調整可能である場合、シート本体１１０の辺部１１１の第１端１１１ａ又はスリーブ２００の第１端２１０ａと、第１係合部５００ａ又は設置面との間に第１ライン４００ａを緊張状態で張ることによって、スリーブ２００の捲り上がりが防止される。第２ライン４００ｂが長さ調整可能である場合、シート本体１１０の辺部１１１の第２端１１１ｂ又はスリーブ２００の第２端２１０ｂと、第２係合部５００ｂ又は設置面との間に第２ライン４００ｂを緊張状態で張ることによって、スリーブ２００の捲り上がりが防止される。
【００５５】
（Ｃ）タープテントＴ１がシート１００の延長シート１２０及び複数の第４ライン７００を備えている場合、複数の第４ライン７００で延長シート１２０を前方に引っ張ることによって、延長シート１２０全体でシート本体１１０の辺部１１１を前方に引っ張ることができる。よって、シート本体１１０の辺部１１１がポール３００によって支持された状態が安定する。
【実施例２】
【００５６】
以下、本発明の実施例２を含む複数の実施例に係るタープテントＴ２について図６Ａ〜図６Ｃを参照しつつ説明する。図６Ａには、実施例２に係るタープテントＴ２が示されている。図６Ｂ〜図６Ｃには、実施例２の設計変形例に係るタープテントＴ２が各々示されている。タープテントＴ２は、そのシート１００’の構成がタープテントＴ１のシート１００の構成する以外、タープテントＴ１と同様の構成とすることが可能である。よって、その相違点についてのみ詳しく説明し、タープテントＴ２の説明のうち、タープテントＴ１の説明と重複するものについては省略する。
【００５７】
シート１００’のシート本体１１０’は、図６Ａ〜図６Ｃに示すように、辺部１１１’の長さ寸法がタープテントＴ１のシート本体１１０の辺部１１１の長さ寸法と以下の通り相違する以外、タープテントＴ１のシート本体１１０と略同じ構成である。なお、辺部１１１’は、第１端１１１ａ’と第２端１１１ｂ’との間の頂部を更に有する。ポール３００は、第１端部３１０ａの先端と第２端部３１０ｂの先端との間の頂部を更に有する。ポール３００がスリーブ２００に挿入され、当該ポール３００が円弧状に湾曲した状態で、辺部１１１’の頂部とポール３００の頂部とは、略一致している。
【００５８】
シート本体１１０’の辺部１１１’の長さ寸法は、ポール３００の長さ寸法と略同じとすることが可能である（図６Ａ参照）。換言すると、辺部１１１’は、第１端１１１ａ’がポール３００の第１端部３１０ａの先端の近傍に位置し、且つ第２端１１１ｂ’がポール３００の第２端部３１０ｂの先端の近傍に位置するように、延びている。この場合、第１ライン４００ａが省略され、辺部１１１’の第１端１１１ａ’に第１係合部５００ａが設けられおり、第２ライン４００ｂは省略され、辺部１１１’の第２端１１１ｂ’に第２係合部５００ｂが設けられている。
【００５９】
別の態様では、シート本体１１０’の辺部１１１’の頂部から第１端１１１ａ’までの長さ寸法が、ポール３００の頂部から第１端部３１０ａの先端までの長さ寸法と略同じであり、且つシート本体１１０’の辺部１１１’の頂部から第２端１１１ｂ’までの長さ寸法が、ポール３００の頂部から第１端部３１０ａの先端までの長さ寸法の略１／２〜３／４である（図６Ｂ及び図６Ｃ参照）。換言すると、辺部１１１’は、第１端１１１ａ’がポール３００の第１端部３１０ａの先端の近傍に位置し、且つ第２端１１１ｂ’がポール３００の第２端部３１０ｂの根元の近傍に位置するように、延びている。この場合、第１ライン４００ａは省略され、辺部１１１’の第１端１１１ａ’に第１係合部５００ａが設けられている。第２ライン４００ｂがシート本体１１０’の辺部１１１’の第２端１１１ｂ’（図６Ｂ参照）又はスリーブ２００の第２端２１０ｂから延びている場合、第２係合部５００ｂは、第２ライン４００ｂの自由端（下端）に設けられている。図６Ｃに示されるように、第２ライン４００ｂが省略される場合、第２係合部５００ｂは、第３ライン６００の第２端に設けられていると良い。なお、図６Ｃにおいて、第２ライン４００ｂを省略せずに、第２ライン４００ｂの自由端を設置面に固定するようにしても構わない。
【００６０】
上記何れの態様であっても、ポール３００の第１端部３１０ａは、スリーブ２００の第１端２１０ａから下方に突出し、第１係合部５００ａに係合し、且つ地面等の設置面に直接的又は間接的に当接すると共に、ポール３００の第２端部３１０ｂは、スリーブ２００の第２端２１０ｂから下方に突出し、第２係合部５００ｂに係合し、且つ設置面に直接的又は間接的に当接するようになっている。ここでも、スリーブ２００の第１端２１０ａは、ポール３００の第１端部３１０ａに対して上方に位置し、スリーブ２００の第２端２１０ｂは、ポール３００の第２端部３１０ｂに対して上方に位置している。
【００６１】
タープテントＴ２の第３ライン６００の第１端は、第１係合部５００ａに直接接続されていても良いし、辺部１１１’の第１端１１１ａ’に接続され、第１端１１１ａ’を介して第１係合部５００ａに間接的に接続されていても良い。
辺部１１１’の第２端１１１ｂ’が、ポール３００の第２端部３１０ｂの先端の近傍に位置する場合、タープテントＴ２の第３ライン６００の第２端は、第２係合部５００ｂに直接接続されていても良いし、辺部１１１’の第２端１１１ｂ’に接続され、第２端１１１ｂ’を介して第２係合部５００ｂに間接的に接続されていても良い。
辺部１１１’の第２端１１１ｂ’が、ポール３００の第２端部３１０ｂの根元の近傍に位置する場合、第２係合部５００ｂに直接接続されていても良いし、第２ライン４００ｂの自由端に接続され、第２ライン４００ｂの自由端を介して第２係合部５００ｂに間接的に接続されていても良い。
上記の通り、第３ライン６００によって、第１係合部５００ａと第２係合部５００ｂが直接的又は間接的につながれているため、第１係合部５００ａに係合されたポール３００の第１端部３１０ａと第２係合部５００ｂに係合されたポール３００の第２端部３１０ｂとの離間が抑制される。なお、タープテントＴ２においても、第３ライン６００は省略可能である。
【００６２】
以上のようなタープテントＴ２は、タープテントＴ１と同様に設営することができる。また、タープテントＴ２は、タープテントＴ１の（Ａ）及び（Ｃ）と同様の技術的特徴及び効果を奏する。タープテントＴ２は、以下の技術的特徴及び効果を更に奏する。
【００６３】
シート本体１１０’の辺部１１１’の第１端１１１ａ’に第１係合部５００ａが設けられているため、ポール３００の第１端部３１０ａが第１係合部５００ａに係合されることによって、スリーブ２００の第１端２１０ａが湾曲したポール３００に沿って捲り上がるのを抑制できる。
シート本体１１０’の辺部１１１’の第２端１１１ｂ’に第２係合部５００ｂが設けられている場合、ポール３００の第２端部３１０ｂが第２係合部５００ｂに係合されることによって、スリーブ２００の第２端２１０ｂが湾曲したポール３００に沿って捲り上がるのを防止できる。又は、タープテントＴ１が第２ライン４００ｂを備えている場合、第２ライン４００ｂの自由端が、第２係合部５００ｂに接続される、又は設置面に固定されることによって、スリーブ２００の第２端２１０ｂが湾曲したポール３００に沿って捲り上がるのを抑制できる。第２ライン４００ｂが長さ調整可能である場合、シート本体１１０’の辺部１１１’の第２端１１１ｂ’又はスリーブ２００の第２端２１０ｂと、第２係合部５００ｂ又は設置面との間に第２ライン４００ｂを緊張状態で張ることによって、スリーブ２００の捲り上がりが防止される。
【実施例３】
【００６４】
以下、本発明の実施例３を含む複数の実施例に係るタープテントＴ３について図７Ａ〜図７Ｃを参照しつつ説明する。図７Ａには、実施例３に係るタープテントＴ３が示されている。図７Ｂ〜図７Ｃには、実施例３の設計変形例に係るタープテントＴ３が各々示されている。タープテントＴ３は、そのスリーブ２００’の構成がタープテントＴ２のスリーブ２００の構成する以外、タープテントＴ２と同様の構成とすることが可能である。よって、その相違点についてのみ詳しく説明し、タープテントＴ３の説明のうち、タープテントＴ２の説明と重複するものについては省略する。
【００６５】
タープテントＴ３のスリーブ２００’は、第１端２１０ａ’がシート１００’のシート本体１１０’の辺部１１１’の第１端１１１ａ’の近傍に位置するように、延びている。スリーブ２００’の第１端２１０ａ’は封止され、封止端部をなしている。この封止端部は、補強されている。例えば、封止端部は、スリーブ２００’の封止端部以外の部分よりも強度が高い布地で構成されていても良いし、封止端部が二重にされていても良いし、封止端部の底に弾性体が設けられていても良い。この封止端部が第１係合部をなしている。ポール３００の第１端部３１０ａは、スリーブ２００’の第２端２１０ｂから挿入され、スリーブ２００’の封止端部（第１端２１０ａ’）の底に当接し、スリーブ２００’の封止端部を介して設置面に当接している。このようにポール３００の第１端部３１０ａは、スリーブ２００’の第２端２１０ｂから挿入され、スリーブ２００’の封止端部（第１端２１０ａ’）に係合している。なお、封止端部は、取付部材を有している。取付部材としては、例えば、封止端部から延びたベルトや紐である。この取付部材が設置面にペグなどで固定される。
【００６６】
タープテントＴ３のスリーブ２００’の第２端２１０ｂは、スリーブ２００’の第２端２１０ｂから下方に突出し、第２係合部５００ｂに係合し、且つ設置面に直接的又は間接的に当接するようになっている。すなわち、スリーブ２００’の第２端２１０ｂは、ポール３００の第２端部３１０ｂに対して上方に位置している。
【００６７】
タープテントＴ３の第３ライン６００は、タープテントＴ２の第３ライン６００と同様に、スリーブ２００’の封止端部（第１係合部）と第２係合部５００ｂとを直接的又は間接的につないでいるため、スリーブ２００’の封止端部の底に当接したポール３００の第１端部３１０ａと第２係合部５００ｂに係合されたポール３００の第２端部３１０ｂとの離間が抑制される。なお、タープテントＴ３においても、第３ライン６００は省略可能である。
【００６８】
以下、タープテントＴ３を設営する手順について詳しく説明する。まず、シート１００’及びスリーブ２００’を用意する。そして、ポール３００を用意する。このポール３００の第１端部３１０ａをスリーブ２００’の第２端２１０ｂから挿入し、ポール３００の第１端部３１０ａをスリーブ２００’の第１端２１０ａ’の底に当接させる。これにより、ポール３００の第２端部３１０ｂがスリーブ２００’の第２端２１０ｂから突出する。スリーブ２００’が円弧状である場合、ポール３００はスリーブ２００’に挿入されることによって、円弧状に湾曲する。この状態で、突出したポール３００の第２端部３１０ｂを把持して、スリーブ２００’の第１端２１０ａ’に当接したポール３００の第１端部３１０ａを支点に、ポール３００を更に円弧状に湾曲させても良い。スリーブ２００’が直線状である場合、挿入後、突出したポール３００の第２端部３１０ｂを把持して、スリーブ２００’の第１端２１０ａ’に当接したポール３００の第１端部３１０ａを支点に、ポール３００を更に円弧状に湾曲させる。そして、ポール３００の第２端部３１０ｂを第２係合部５００ｂに係合させる。
【００６９】
タープテントＴ３が第３ライン６００を備えている場合、第３ライン６００がスリーブ２００’の封止端部（第１係合部）と第２係合部５００ｂとの間を直接的又は間接的につないでいるため、封止端部に係合されたポール３００の第１端部３１０ａと、第２係合部５００ｂに係合されたポール３００の第２端部３１０ｂとが互いに離間しない。この状態で、ポール３００の第１端部３１０ａをスリーブ２００’の封止端部を介して設置面に間接的に当接させ、封止端部の取付部材を設置面にペグなどで固定する。これと共に、ポール３００の第２端部３１０ｂを設置面に直接的又は間接的に当接させ、第２係合部５００ｂを設置面に設置し、第２係合部５００ｂを設置面にペグなどで固定する。タープテントＴ３が第３ライン６００を備えていない場合、ポール３００の第１端部３１０ａをスリーブ２００’の封止端部を介して設置面に間接的に当接させ、封止端部の取付部材を設置面にペグなどで固定する。これと共に、ポール３００の第２端部３１０ｂを設置面に直接的又は間接的に当接させ、第２係合部５００ｂを設置面に設置し、第２係合部５００ｂを設置面にペグなどで固定する。
【００７０】
タープテントＴ３がシート１００’の延長シート１２０及び複数の第４ライン７００を備えている場合の設営手順は、タープテントＴ１と同じであり、少なくとも一つの引張シート１３０及び少なくとも一つの第５ライン８００を備えている場合の設営手順は、タープテントＴ１と同じであるため、省略する。
【００７１】
以上のようなタープテントＴ３は、以下の技術的特徴及び効果を奏する。
（Ａ）タープテントＴ３は、設営し易い。その理由は以下の通りである。ポール３００をスリーブ２００’内に挿入し、ポール３００の第１端部３１０ａを封止端部の底に当接させる。このスリーブ２００’の封止端部を支点としてポール３００を円弧状に湾曲させ、ポール３００の第２端部３１０ｂを第２係合部５００ｂに係合させる。その後、ポール３００の第１端部３１０ａを、封止端部を介して、間接的に設置面に当接させると共に、ポール３００の第２端部３１０ｂ及び第２係合部５００ｂを設置面に当接させる。その後、封止端部、第２係合部５００ｂを設置面に固定する。このようにポール３００によってシート本体１１０’の辺部１１１’が中空で支持されるので、タープテントＴ３の辺部１１１’を容易に建てることができる。しかも、スリーブ２００’の封止端部を支点としてポール３００を円弧状に湾曲させることができるので、ポール３００の第２端部３１０ｂを第２係合部５００ｂに容易に係合させることができる。また、スリーブ２００’が円弧状である場合、ポール３００がスリーブ２００’に沿って円弧状に湾曲するため、ポール３００を容易に湾曲させることができる。更に、タープテントＴ３が第３ライン６００を備えている場合、第３ライン６００がスリーブ２００’の封止端部と第２係合部５００ｂとの間を直接的又は間接的につないでいるため、ポール３００の復元力によって、ポール３００の第１端部３１０ａとポール３００の第２端部３１０ｂとが離間することが防止されるので、当該離間を防止するために、ポール３００の第１端部３１０ａとポール３００の第２端部３１０ｂとを複数の使用者が支持する必要がなくなる。第３ライン６００が長さ調整可能である場合、第３ライン６００の長さを調整することによって、ポール３００の第１端部３１０ａと第２端部３１０ｂとの間隔を調整できる。
【００７２】
（Ｂ）タープテントＴ３では、ポール３００の第１端部３１０ａがスリーブ２００’の封止端部内に挿入されているため、スリーブ２００’の第１端２１０ａ’が湾曲したポール３００に沿って捲り上がるのを防止できる。また、タープテントＴ３が第２ライン４００ｂを備えている場合、第２ライン４００ｂの自由端が、第２係合部５００ｂに接続される、又は設置面に固定されることによって、スリーブ２００’の第２端２１０ｂが湾曲したポール３００に沿って捲り上がるのを抑制できる。長さ調整可能である場合、第２ライン４００ｂがシート本体１１０’の辺部１１１’の第２端１１１ｂ’又はスリーブ２００’の第２端２１０ｂと、第２係合部５００ｂ又は設置面との間に第２ライン４００ｂを緊張状態で張ることによって、スリーブ２００’の捲り上がりが防止される。
【００７３】
なお、タープテントＴ３は、タープテントＴ１の（３）の技術的特徴及び効果も奏する。  
【００７４】
なお、上記したタープテントは、上記実施例に限定されるものではなく、特許請求の範囲の記載範囲において任意に設計変更することが可能である。以下、詳しく述べる。
【００７５】
タープテントＴ３において、スリーブ２００’の第１端２１０ａ’を封止せず、辺部１１１’の第１端１１１ａ又はスリーブ２００’の第１端２１０ａ’に第１係合部５００ａが設けられていても良い。
【００７６】
タープテントＴ３において、辺部１１１’の第２端１１１ｂ’がポール３００の第２端部３１０ｂの先端の近傍に位置する場合、スリーブ２００’は、第２端２１０ｂ’がシート１００’のシート本体１１０’の辺部１１１’の第２端１１１ｂの近傍に位置するように、延びた構成とすることも可能である。この場合、スリーブ２００’の第２端２１０ｂ’も封止され、上記と同様に封止端部をなしていても良い。この封止端部は第２係合部をなしている。スリーブ２００’の第１端２１０ａ’及び第２端２１０ｂの双方が封止端部である場合、スリーブ２００’の両封止端部の間に、ポール３００を挿入するための切れ込みを設けると良い。なお、スリーブ２００’の第２端２１０ｂ’を封止せず、辺部１１１’の第１端１１１ａ又はスリーブ２００’の第２端２１０ｂ’に第２係合部５００ｂが設けられていても良い。
【００７７】
本発明のスリーブは、複数の分割スリーブを有する構成とすることが可能である。分割スリーブも、可撓性を有するシートで構成された筒体である。複数の分割スリーブは、辺部１１１にその長手方向に間隔をあけて設けられていると良い。第１端２１０ａは、複数の分割スリーブのうちの辺部１１１の長手方向の一方側の最も端に位置する分割スリーブの前記長手方向の一方側の端、第２端２１０ｂは、複数の分割スリーブのうちの辺部１１１の長手方向の他方側の最も端に位置する分割スリーブの前記長手方向の他方側の端とすると良い。
【００７８】
本発明の第１係合部は、ポールの第１端部に係合し且つ設置面に固定されるものである限りどのような構成であっても良い。本発明の第２係合部は、ポールの第２端部に係合し且つ設置面に固定されるものである限りどのような構成であっても良い。本発明の設置面は、地面に限定されず、室内の床なども含む。設置面が床である場合、第１、第２係合部は、重りなどで設置面に固定されると良い。
【００７９】
なお、上記実施例の各態様及び設計変形例におけるタープテントの各構成要素を構成する素材、形状、寸法、数及び配置等はその一例を説明したものであって、同様の機能を実現し得る限り任意に設計変更することが可能である。上記した実施例の各態様及び設計変更例は、互いに矛盾しない限り、相互に組み合わせることが可能である。
【符号の説明】
【００８０】
Ｔ１、Ｔ２、Ｔ３：タープテント
１００、１００’：シート
１１０、１１０’：シート本体
１１１、１１１’：辺部
１１１ａ、１１１ａ’：第１端
１１１ｂ、１１１ｂ’：第２端
１１２：係合部
１１３：ループ
１２０：延長シート
１２１：連接辺
１２２：自由辺
１３０：引張シート
２００、２００’：スリーブ
２１０ａ、２１０ａ’：第１端
２１０ｂ：第２端
３００：ポール
３１０ａ：第１端部
３１０ｂ：第２端部
４００ａ：第１ライン
４００ｂ：第２ライン
５００ａ：第１係合部
５００ｂ：第２係合部
６００：第３ライン
７００：第４ライン
８００：第５ライン
９００ａ：垂直ポール
９００ｂ：第６ライン
【図１】
2020016025.tif 000003
【図２】
2020016025.tif 000004
【図３】
2020016025.tif 000005
【図４】
2020016025.tif 000006
【図５Ａ】
2020016025.tif 000007
【図５Ｂ】
2020016025.tif 000008
【図５Ｃ】
2020016025.tif 000009
【図５Ｄ】
2020016025.tif 000010
【図６Ａ】
2020016025.tif 000011
【図６Ｂ】
2020016025.tif 000012
【図６Ｃ】
2020016025.tif 000013
【図７Ａ】
2020016025.tif 000014
【図７Ｂ】
2020016025.tif 000015
【図７Ｃ】
2020016025.tif 000016